(57)【要約】【課題】複数の通信システムで通信可能であり、同時に複数の呼と通信中の携帯機が、携帯機のユーザが希望する呼を優先的にハンドオーバさせる。【解決手段】ネットワークが管理する携帯機の情報を格納したデータベースに事前に、あるいは、通信開始時にシステム間ハンドオーバする際に継続する呼の優先順位を登録する、あるいは、システム間ハンドオーバする際に、携帯機のユーザに優先順位を選択させネットワークに通知することで、ネットワーク側に継続したい呼の優先順位を認識させ、ユーザが希望する呼を優先的にハンドオーバさせることが可能となる。また、携帯機に優先順位を設定しておく、あるいは、ハンドオーバする際に、ユーザに優先順位を選択させることにより、優先順位に従って継続不可能な呼を切断する。継続可能な呼だけを通信中の状態で残すことにより、ユーザが希望する呼を優先的にハンドオーバさせる。【選択図】        図５
2004363730.tif 000002
【特許請求の範囲】
【請求項１】
異なる複数の無線通信システム間で、通信中の携帯端末をハンドオーバさせるシステム間ハンドオーバ方式において、
上記複数の無線通信システムからアクセス可能であり、上記携帯端末が接続可能な無線通信システムを特定する接続可能無線通信システムと、上記携帯端末が優先して接続させる呼の種類の順番を特定する優先順位とを格納するデータベースを備え、
上記複数の無線通信システムそれぞれは、上記データベースに格納された接続可能無線通信システムと優先順位とに基づいて、ハンドオーバさせる他の無線通信システムと、上記携帯端末が通信中の複数の呼から接続させる呼とを選択し、通信中の複数の呼のうち選択した呼を上記携帯端末に接続させることを特徴とするシステム間ハンドオーバ方式。
【請求項２】
上記複数の無線通信システムは、上記データベースへデータを登録する登録手段を有することを特徴とする請求項１記載のシステム間ハンドオーバ方式。
【請求項３】
上記複数の無線通信システムの登録手段は、上記携帯端末から、入力される上記優先順位を受信し、受信した優先順位を上記データベースへ登録することを特徴とする請求項２記載のシステム間ハンドオーバ方式。
【請求項４】
上記複数の無線通信システムそれぞれは、上記他の無線通信システムへハンドオーバすることによって、接続できる呼の数が減少する場合に、優先する呼の種類を選択して通知することを上記携帯端末へ指示し、上記携帯端末から通知される呼の種類を優先して携帯端末に接続することを特徴とする請求項１記載のシステム間ハンドオーバ方式。
【請求項５】
上記複数の無線通信システムそれぞれは、上記他の無線通信システムへハンドオーバすることによって、接続できる呼の数が減少する場合に、接続できる呼の数の範囲で、接続希望する呼を選択させるとともに、この選択された呼以外の呼の解放完了を通知することを上記携帯端末へ指示し、上記携帯端末から呼の選択及び選択された呼以外の呼の解放完了が通知された後、上記他の無線通信システムへハンドオーバすることを特徴とする請求項１記載のシステム間ハンドオーバ方式。
【請求項６】
上記複数の無線通信システムそれぞれは、上記他の無線通信システムへハンドオーバすることによって、接続できる呼の数が減少する場合に、通信中の緊急呼は最優先して接続を継続することを特徴とする請求項１記載のシステム間ハンドオーバ方式。
【請求項７】
無線通信システムＡと、上記無線通信システムＡとは異なる無線通信システムＢとの間で、無線通信システムＡと通信中の携帯端末を無線通信システムＢへハンドオーバさせるシステム間ハンドオーバ方式において、
上記無線通信システムＡから上記無線通信システムＢへハンドオーバする際に、優先する呼の種類を選択して通知する指示を上記無線通信システムＡから受信し、上記指示に従って、優先する呼の種類を選択し、選択した呼の種類を上記無線通信システムＡへ通知する携帯端末を備え、上記無線システムＡは、通信中の携帯端末から通知される呼の種類の情報に基づいて、上記通信中の携帯端末を無線通信システムＢへハンドオーバさせることを特徴とするシステム間ハンドオーバ方式。
【請求項８】
無線通信システムＡと、上記無線通信システムＡとは異なる無線通信システムＢとの間で、無線通信システムＡと通信中の携帯端末を無線通信システムＢへハンドオーバさせるシステム間ハンドオーバ方式において、
上記無線通信システムＡから上記無線通信システムＢへハンドオーバする際に、上記無線通信システムＡから接続可能な呼の数を通知され、通知された数の呼を選択し、それ以外の呼の解放完了を通知する指示を受信し、上記指示に従って、接続する呼を選択し、それ以外の呼の解放完了を上記無線通信システムＡへ通知する携帯端末を備え、上記無線システムＡは、通信中の携帯端末から通知される呼の種類の情報に基づいて、上記通信中の携帯端末を無線通信システムＢへハンドオーバさせることを特徴とするシステム間ハンドオーバ方式。
【請求項９】
上記携帯端末は、優先して接続する呼の優先順位を記憶する記憶領域を備え、上記記憶領域に記憶された優先順位に従って、呼を選択することを特徴とする請求項８記載のシステム間ハンドオーバ方式。
【請求項１０】
上記携帯端末は、現在接続中の呼のうち、優先して接続する呼の種類をユーザへ問合せ、問い合わせた結果として優先する呼の種類を取得し、取得した呼の種類に基づいて、呼の接続を選択することを特徴とする請求項８記載のシステム間ハンドオーバ方式。
【請求項１１】
上記携帯端末は、現在接続中の呼の中に緊急呼が存在する場合、通信中の緊急呼は最優先して接続を継続することを特徴とする請求項８記載のシステム間ハンドオーバ方式。
【請求項１２】
複数の無線通信システム間だけでなく、同一無線通信システム内においてもハンドオーバ先にて全ての通信中の呼を継続できない場合は、請求項１から請求項１１に示した呼の接続を行うシステム間ハンドオーバ方式。
【請求項１３】
異なる複数の無線通信システム間でハンドオーバする携帯端末において、
接続可能な無線通信システムを特定する接続可能無線通信システムと、優先して接続させる呼の種類の順番を特定する優先順位とを接続中の無線通信システムから入力し、上記接続可能無線通信システムと、上記優先順位とを用いて、接続を継続する呼を選択するシステム間ハンドオーバ制御部と、
上記システム間ハンドオーバ制御部が選択した呼を継続させて、上記接続可能無線通信システムへハンドオーバすることを制御する通信制御部とを備えることを特徴とする携帯端末。
【請求項１４】
無線通信システムＡと、上記無線通信システムＡとは異なる無線通信システムＢと通信する携帯端末において、
上記無線通信システムＡから上記無線通信システムＢへハンドオーバする際に、優先する呼の種類を選択して通知する指示を上記無線通信システムＡから受信し、上記指示に従って、優先する呼の種類を選択し、選択した呼の種類を上記無線通信システムＡへ通知する制御部を備えることを特徴とする携帯端末。
【請求項１５】
上記制御部は、
上記無線通信システムＡから上記無線通信システムＢへハンドオーバする際に、優先する呼の種類を選択して通知する指示を上記無線通信システムＡから受信し、上記指示に従って、優先する呼の種類を選択することをユーザに促し、ユーザが選択した呼の種類を取得するシステム間ハンドオーバ制御部と、
上記システム間ハンドオーバ制御部から取得した呼の種類を通知され、上記通知された呼の種類を上記無線通信システムＡへ通知するとともに、上記通知された呼の種類を接続することを制御する通信制御部を備えることを特徴とする請求項１４記載の携帯端末。
【請求項１６】
無線通信システムＡと、上記無線通信システムＡとは異なる無線通信システムＢと通信する携帯端末において、
上記無線通信システムＡから上記無線通信システムＢへハンドオーバする際に、上記無線通信システムＡから接続可能な呼の数を通知され、通知された数の呼を選択し、それ以外の呼の解放完了を通知する指示を受信し、上記指示に従って、接続する呼を選択し、それ以外の呼の解放完了を上記無線通信システムＡへ通知する制御部を備えることを特徴とする携帯端末。
【請求項１７】
上記携帯端末は、さらに、予め接続する呼の優先順位を設定するシステム間ハンドオーバ設定部を備え、
上記制御部は、
上記システム間ハンドオーバ設定部が設定した呼の優先順位に基づいて、上記接続する呼を選択するシステム間ハンドオーバ制御部と、
上記システム間ハンドオーバ制御部が選択した呼の種類を通知され、上記通知された呼の種類を上記無線通信システムＡへ通知するとともに、上記通知された呼の種類を接続することを制御する通信制御部を備えることを特徴とする請求項１６記載の携帯端末。
【請求項１８】
複数種類の呼の同時通信を提供する第１のシステム、
この第１のシステムが同時通信を提供する複数種類の呼の一部について同時通信を提供する第２システム、
並びに、上記第１及び第２のシステムに通信接続可能な携帯端末を備え、
上記携帯端末は、上記第１のシステムから第２のシステムへハンドオーバするとき、上記複数種類の呼の一部のどの呼を優先させて接続させるかについて予め設定された優先順位情報に基づいて、上記第２のシステムで接続させる呼を決定して、上記携帯端末及び上記第２のシステム間を通信接続することを特徴とするシステム。
【請求項１９】
情報を記憶するサーバを備え、
優先順位情報は、予め、上記サーバに記憶されていることを特徴とする請求項１８記載のシステム。
【請求項２０】
優先順位情報は、予め、携帯端末の記憶部に記憶されたことを特徴とする請求項１８記載のシステム。
【請求項２１】
第１及び第２のシステムが提供する呼には、緊急連絡用に設けられた緊急呼が含まれ、
携帯端末は、第１のシステムから第２のシステムへハンドオーバするとき、優先順位情報にかかわらず、第２のシステムで接続させる呼を優先的に上記緊急呼に決定して、上記携帯端末及び上記第２のシステム間を接続することを特徴とする請求項１８記載のシステム。
【請求項２２】
複数種類の呼の同時通信を提供する第１のシステムと通信する無線部、
この第１のシステムが同時通信を提供する複数種類の呼の一部について同時通信を提供する第２システムと通信する第２の無線部、
上記第１及び第２の無線部を切り替えて、上記第１又は第２のシステムに通信接続させる制御部、
上記第１及び第２のシステム間のハンドオーバ時に、第１又は第２のシステムと通信するこの接続処理をする通信制御部とを備え、
この通信制御部は、上記第１のシステムから第２のシステムへハンドオーバするとき、上記複数種類のどの呼を優先させて接続させるかについて予め設定された優先順位情報に基づいて、決定された呼を優先的に接続して接続する処理をし、上記制御部は上記通信制御部の処理後、上記第１の無線部から上記第２の無線部に切り替えて、上記第２のシステムに、上記決定された呼を継続して接続することを特徴とする携帯端末。
【請求項２３】
記憶部を備え、
優先順位情報は、該記憶部に改変可能に記憶されたことを特徴とする請求項２２記載の携帯端末。
【請求項２４】
第１及び第２のシステムが提供する呼には、緊急連絡用に設けられた緊急呼が含まれ、
通信制御部は、第１のシステムから第２のシステムへハンドオーバするとき、優先順位情報にかかわらず、緊急呼を優先的に継続して接続する処理をすることを特徴とする請求項２２記載の携帯端末。
【請求項２５】
通信制御部は、第１のシステムから第２のシステムへハンドオーバするとき、優先順位情報にかかわらず、緊急呼を優先的に継続して接続し、上記緊急呼以外の呼の接続を切断する処理をすることを特徴とする請求項２４記載の携帯端末。
【発明の詳細な説明】
【０００１】
【発明の属する技術分野】
本発明は移動通信システムに係わり、特に通信中の状態で他の無線通信システムに移動する携帯電話機の通信を切断することなく継続させるための移動通信方式に関する。
【０００２】
【従来の技術】
従来のシステム間ハンドオーバ方式に関しては、携帯機は通信中ではなく待受けの状態にてシステムの切替が行われ、切り替わった先のシステムで、通信中となった場合に、その切り替わったシステム内での移動に対して、ハンドオーバを可能とするための通信方式である（特許文献１参照）。
【０００３】
また、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ）とＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）のデュアル機に関する国際標準では、マルチアクセスが可能な携帯機で複数のＰＤＰ（Ｐａｃｋｅｔ  Ｄａｔａ  Ｐｒｏｔｏｃｏｌ）  Ｃｏｎｔｅｘｔが存在する状況でＵＭＴＳからＧＳＭにハンドオーバする場合、１つのＰＤＰ  Ｃｏｎｔｅｘｔしか継続できず、どのＰＤＰ  Ｃｏｎｔｅｘｔを継続するかは、ネットワークが決定するとされている（非特許文献１）。
【０００４】
【特許文献１】
特開平１３−２８５９１号公報（第１図〜第１０図）
【非特許文献１】
３ｒｄ  Ｇｅｎｅｒａｔｉｏｎ  Ｐａｒｔｅｒｓｈｉｐ  Ｐｒｏｊｅｃｔ、Ｈａｎｄｏｖｅｒ  Ｒｅｑｕｉｒｅｍｅｎｔｓ  ｂｅｔｗｅｅｎ  ＵＴＲＡＮ  ａｎｄ  ＧＥＲＡＮ  ｏｒ  ｏｔｈｅｒ  Ｒａｄｉｏ  Ｓｙｓｔｅｍｓ（３ＧＰＰ  ＴＳ  ２２．１２９  Ｖ３．６．０（２００１−１２））、ｐ．１３、６．４  Ｒｅｑｕｉｒｅｍｅｎｔｓ  ｏｎ  ｍｕｌｔｉｐｌｅ  ｂｅａｒｅｒｓｅｒｖｉｃｅｓ  ｈａｎｄｏｖｅｒ  ｆｒｏｍ  ＵＴＲＡＮ  ｔｏ  ＧＥＲＡＮ、［ｏｎｌｉｎｅ］、［２００３年５月９日検索］、インターネット〈ｈｔｔｐ：／／ｗｗｗ．ｑｕｉｎｔｉｌｌｉｏｎ．ｃｏ．ｊｐ／３ＧＰＰ／Ｓｐｅｃｓ／２２１２９−３６０．ｐｄｆ〉
【０００５】
【発明が解決しようとする課題】
従来の特開平１３−２８５９１号公報に示すシステム及び方式では、通信中におけるシステム間をまたがるハンドオーバはできず、ローミング先のシステム内で交換機間をまたがるハンドオーバを実現するための方式が示されていた。このため通信中のまま、システム間をまたがるハンドオーバを行うことは不可能であった。
【０００６】
また、３ＧＰＰ  ＴＳ  ２２．１２９  Ｖ３．６．０（２００１−１２）  「Ｈａｎｄｏｖｅｒ  Ｒｅｑｕｉｒｅｍｅｎｔｓ  ｂｅｔｗｅｅｎ  ＵＴＲＡＮ  ａｎｄ  ＧＥＲＡＮ  ｏｒ  ｏｔｈｅｒ  Ｒａｄｉｏ  Ｓｙｓｔｅｍｓ（Ｒｅｌｅａｓｅ  １９９９）  ６．４  Ｒｅｑｕｉｒｅｍｅｎｔｓ  ｏｎ  ｍｕｌｔｉｐｌｅ  ｂｅａｒｅｒ  ｓｅｒｖｉｃｅｓ  ｈａｎｄｏｖｅｒ  ｆｒｏｍ  ＵＴＲＡＮ  ｔｏ  ＧＥＲＡＮ」では、通信中のシステム間のハンドオーバに関する記述はあるが、ｍｕｌｔｉｐｌｅ  ｂｅａｒｅｒｓ  ｓｅｒｖｉｃｅｓ  ｈａｎｄｏｖｅｒの際は、移動先のシステムが通信中の全てのｂｅａｒｅｒをサポートしているが全ての呼を継続できず少なくとも１つの通信を継続することは可能である場合、どの通信を継続するかは、ネットワーク側の設定であり、携帯機側が残したい通信を継続することができないことがあると言う問題があった。
【０００７】
この発明は、上記のような問題を解決するためになされたもので、ｍｕｌｔｉｐｌｅ  ｂｅａｒｅｒｓ  ｓｅｒｖｉｃｅｓで通信中にシステム間をまたがるハンドオーバを行った際に、ハンドオーバ先のシステムにおいて、継続可能なｍｕｌｔｉｐｌｅ  ｂｅａｒｅｒｓ  ｓｅｒｖｉｃｅｓが複数存在するが、全てのｂｅａｒｅｒを継続できない場合に、ネットワークが継続するｂｅａｒｅｒを選択するのではなく、携帯機側が希望するｂｅａｒｅｒの通信を継続可能とすることを目的とする。
【０００８】
【課題を解決するための手段】
この発明に係るシステム間ハンドオーバ方式は、異なる複数の無線通信システム間で、通信中の携帯端末をハンドオーバさせるシステム間ハンドオーバ方式において、
上記複数の無線通信システムからアクセス可能であり、上記携帯端末が接続可能な無線通信システムを特定する接続可能無線通信システムと、上記携帯端末が優先して接続させる呼の種類の順番を特定する優先順位とを格納するデータベースを備え、
上記複数の無線通信システムそれぞれは、上記データベースに格納された接続可能無線通信システムと優先順位とに基づいて、ハンドオーバさせる他の無線通信システムと、上記携帯端末が通信中の複数の呼から接続させる呼とを選択し、通信中の複数の呼のうち選択した呼を上記携帯端末に接続させることを特徴とする。
【０００９】
【発明の実施の形態】
実施の形態１．
図１はこの発明の実施の形態１から実施の形態７における複数の通信システムのサービスを提供可能なネットワーク構成を示すものである。
図１では、ｍｕｌｔｉｐｌｅ  ｂｅａｒｅｒｓ  ｓｅｒｖｉｃｅｓで通信可能な通信システム（ＵＭＴＳ）１と、同時に１つのｂｅａｒｅｒ  ｓｅｒｖｉｃｅでしか通信のできない通信システム（ＧＳＭ）１１とから構成される例を示す。
図１において、通信システム（ＵＭＴＳ）１は例えばＵＭＴＳのように、複数種類の呼の同時通信を提供するシステムであって、ｍｕｌｔｉｐｌｅ  ｂｅａｒｅｒｓ  ｓｅｒｖｉｃｅｓで通信可能なシステムである。通信システム（ＧＳＭ）１１は例えばＧＳＭのように、通信システム（ＵＭＴＳ）１が提供する複数種類の呼の一部の同時通信を提供するシステムであって、本実施の形態の説明では便宜上、同時に１つのｂｅａｒｅｒでしか通信できない通信システムとする。また、以下の説明では便宜上、通信システム（ＵＭＴＳ）１は音声及びパケット、ＦＡＸ、ＵＤＩ、ＡＶの５種類の呼で、通信システム（ＧＳＭ）１１は音声及びパケット、ＦＡＸ、ＵＤＩの４種類の呼で通信可能のものとする。
【００１０】
通信システム（ＵＭＴＳ）１は、交換機２ａ、２ｂと、交換機２ａ、２ｂそれぞれに接続し、無線通信エリアを提供する基地局３ａ、３ｂとを備える。
同様に、通信システム（ＧＳＭ）１１は、交換機１２ａ、１２ｂと、交換機１２ａ、１２ｂそれぞれに接続し、無線通信エリアを提供する基地局１３ａ、１３ｂとを備える。
通信システム（ＵＭＴＳ）１及び通信システム（ＧＳＭ）１１間には、重複エリアが設けられ、この重複エリア内で、ハンドオーバ処理が行なわれる。携帯機４は通信システム（ＵＭＴＳ）１及び通信システム（ＧＳＭ）１１双方とデユアルバンドで通信可能であり、通信システム（ＵＭＴＳ）１又は通信システム（ＧＳＭ）１１に対して切り替えて接続する。データベース５は、携帯機４に関する情報を保持している。
【００１１】
データベース５は、通信システムの交換機（２ａ、２ｂ、１２ａ、１２ｂ）からの読み書きが可能である。交換機（２ａ、２ｂ、１２ａ、１２ｂ）は、データベース５へデータを登録する登録手段（図示せず）と、データを読みこむ読込手段（図示せず）とを有する。なお、データベース５に登録されるデータは、携帯機４から通信システム（ＵＭＴＳ）１又は通信システム（ＧＳＭ）１１を介して受信したデータである場合もある。
【００１２】
図２は、通信システム（ＵＭＴＳ）１及び通信システム（ＧＳＭ）１１で通信可能な携帯機４の構成図の一例である。
図２に示す携帯機４は、無線信号の送受信を行うためのアンテナ４１ａ、４１ｂと、受信及び、送信に伴う変復調及びデータ変換を行う無線部４２ａ、４２ｂと、携帯機４の各部の制御を行ったり、通信相手とのメッセージの送受信・解析等を行う制御部４３とを備える。制御部４３は通信制御部４３ａ、システム間ＨＯ制御部４３ｂを備え、通信制御部４３ａは通信システム（ＵＭＴＳ）１及び通信システム（ＧＳＭ）１１間のハンドオーバ時に、通信システム（ＵＭＴＳ）１又は通信システム（ＧＳＭ）１１と通信する呼の接続又は切断処理をする。システム間ＨＯ制御部４３ｂはハンドオーバ時に継続可能な、あるいは、継続させたい通信中の呼を選択し、表示部４７、通信制御部４３ａを制御するものである。また、アンテナ４１ａ、無線部４２ａは通信システム（ＵＭＴＳ）１との無線通信、アンテナ４１ｂ、無線部４２ｂは通信システム（ＧＳＭ）１１との無線通信に用いられる。但し、アンテナ４１ａ及びアンテナ４１ｂは構造的に一体にすることもでき、無線部４２ａ及び無線部４２ｂも構造的に１つのＩＣに収めることができる。
さらに、各部の制御を行うための各種プログラムが格納されているＲＯＭ４４と、ＲＡＭ４５と、ユーザが携帯機の各種機能を起動するための操作部４６と、操作部４６の操作等により起動された機能等の情報や、状態等を表示するための表示部４７と、音声等を出力するためのスピーカー４８、音声を入力するためのマイク４９と、テレビ電話、静止画撮影等に用いられるカメラ５０とを備える。
ＲＡＭ４５はハンドオーバ時に利用する後述の優先順位情報を設定するシステム間ＨＯ設定部４５ａを含んでいる。
【００１３】
なお、図２では、携帯機４の一例を示した。携帯機４は、携帯電話や、携帯端末（持ち運び可能な端末装置）を一例として含む。
【００１４】
図３は、データベース５に格納される携帯機４に関する情報の一例である。
図３において、データベース５は、携帯機４の番号（電話番号）、現在アクセスしている通信システム（在圏システム）、現在アクセスしている通信システムの位置情報（在圏位置）、携帯機４が通信可能な無線通信方式（可能無線通信方式）、携帯機４が対応している各種付加サービス（加入付加サービス）、現在、接続されているサービス（通信中呼）、現在携帯機４が通信中のｂｅａｒｅｒ、複数のｂｅａｒｅｒ  ｓｅｒｖｉｃｅで通信中に通信システム（ＵＭＴＳ）１から通信システム（ＧＳＭ）１１にハンドオーバする際にどのｂｅａｒｅｒ  ｓｅｒｖｉｃｅを優先的にハンドオーバさせるかの設定などの優先順位情報（システム間ＨＯ優先順位）を格納している。
【００１５】
図４は、携帯機４がデータベース５に複数のｂｅａｒｅｒ  ｓｅｒｖｉｃｅで通信中に通信システム（ＵＭＴＳ）１から通信システム（ＧＳＭ）１１にハンドオーバする際に、どのｂｅａｒｅｒ  ｓｅｒｖｉｃｅを優先的にハンドオーバさせるかを登録する際のシーケンスを示す図である。ここでは３ＧＰＰでの付加サービスの登録手順を例とする。携帯機４は、通信システム（ＵＭＴＳ）１を用いてデータベース５へ登録する例を示している。
なお、通信システム（ＵＭＴＳ）１を介して登録するシーケンスを以下に示すが、本登録処理自体は、通信システム（ＧＳＭ）１１を介して行ってもよい。
【００１６】
まず、携帯機４は、通信システム（ＵＭＴＳ）１との間で、ＲＲＣ（Ｒａｄｉｏ  Ｒｅｓｏｕｒｃｅ  Ｃｏｎｔｒｏｌ）  Ｃｏｎｎｅｃｔｉｏｎを確立し、次にＣＭ（Ｃｏｎｎｅｃｔｉｏｎ  Ｍａｎａｇｅｍｅｎｔ）  Ｓｅｒｖｉｃｅを確立する（ＣＭ  Ｓｅｒｖｉｃｅ  Ｒｅｑｕｅｓｔ／ＣＭ  Ｓｅｒｖｉｃｅ  Ａｃｃｅｐｔ）。
次に、付加サービスの登録手順であるＲｅｇｉｓｔｅｒメッセージを用いて携帯機４側が望むシステム間ハンドオーバ時に継続する呼の優先順位を通信システム（ＵＭＴＳ）１を経由してデータベース５に登録する（Ｒｅｇｉｓｔｅｒ（優先順位登録））。ＲｅｇｉｓｔｅｒメッセージにはＦａｃｉｌｉｔｙ情報要素が含まれる。このＦａｃｉｌｉｔｙ情報要素に優先順位を設定する。
データベース５は登録が完了すると完了したことをＲｅｇｉｓｔｅｒ  Ｃｏｍｐｌｅｔｅメッセージで通信システム（ＵＭＴＳ）１に通知する。通信システム（ＵＭＴＳ）１は、携帯機４にＲｅｌｅａｓｅ  Ｃｏｍｐｌｅｔｅメッセージで登録が完了したことを通知し、ＣＭ  Ｓｅｒｖｉｃｅを終了する。最後にＲＲＣ
Ｃｏｎｎｅｃｔｉｏｎを解放して通常の待ち受け状態に遷移する。
【００１７】
次に動作について説明する。図１にて携帯機４が通信システム（ＵＭＴＳ）１内の基地局３ｂを介して音声通信とパケット通信を行っている状態で、通信システム（ＧＳＭ）１１の基地局１３ａに移動する場合の動作を図５に示す。
【００１８】
図２、図５において、通信システム（ＵＭＴＳ）１は、音声及びパケット通信中の携帯機４から通知されてくる周辺基地局３ａ、３ｂ等の受信レベルより通信システム（ＵＭＴＳ）１での通信の継続が難しいことを判断すると、データベース５に対して、「携帯機情報問い合わせ」を行う。この「携帯機情報問い合わせ」は、ハンドオーバ（ＨＯと称する）先の通信システム（ＧＳＭ）１１での携帯機４が通信可能な呼、および、ハンドオーバの際に継続する呼の優先順位の問い合わせを含む。ここでは、通信システム（ＵＭＴＳ）１が基地局３ｂで通信システム（ＵＭＴＳ）１内でのハンドオーバが不可能と判断した場合のハンドオーバ先が、通信システム（ＧＳＭ）１１であることを判断可能として説明している。
しかしながら、このハンドオーバ先の情報に関してもシステム間の情報としてデータベース５に保有し、この「携帯機情報問い合わせ」に含めて問い合わせてもよい。
【００１９】
データベース５は通信システム（ＵＭＴＳ）１からの「携帯機情報問い合わせ」の内容に対して、図３で示した優先順位情報に基づいて、携帯機４（０９０−ａａ−ｂｂ）が通信システム（ＧＳＭ）１１でも通信可能であるかと、通信システム（ＧＳＭ）１１で通信可能な場合でハンドオーバする際にどの呼を優先的にハンドオーバさせるかを確認し、結果を「携帯機情報応答」に設定して通信システム（ＵＭＴＳ）１に通知する。データベース５が通信システム（ＵＭＴＳ）１の基地局３ｂからの通信システム（ＧＳＭ）１１へのハンドオーバ先を管理している場合は、「携帯機情報応答」にハンドオーバ先の情報として通信システム（ＧＳＭ）１１の基地局１３ａの情報を含めて通知する。
【００２０】
通信システム（ＵＭＴＳ）１ではデータベース５からの「携帯情報応答」の結果をもとに携帯機４に対して、図３で示した優先順位情報に基づいた「ハンドオーバ先の通信システム（ＧＳＭ）１１、および、通信システム（ＧＳＭ）１１の基地局１３ａの情報と、継続する呼の情報」を「Ｈａｎｄｏｖｅｒ  ｆｒｏｍ  ＵＴＲＡＮ」で通知する。また、ハンドオーバ先の通信システム（ＧＳＭ）１１に対しても携帯機４が、どの通信呼を継続して両システム１、１１間ハンドオーバするかを「システム間ＨＯ通知」で通知する。
【００２１】
「Ｈａｎｄｏｖｅｒ  ｆｒｏｍ  ＵＴＲＡＮ」を通知した通信システム（ＵＭＴＳ）１と受信した携帯機４はハンドオーバ先の通信システム（ＧＳＭ）１１で通信の継続が不可能なパケット呼を解放し、また、携帯機４は継続する音声呼のハンドオーバ準備を行い、ハンドオーバ先の通信システム（ＧＳＭ）１１に対して「Ｈａｎｄｏｖｅｒ  Ａｃｃｅｓｓ」を送信する。通信システム（ＧＳＭ）１１は通信システム（ＵＭＴＳ）１からの「システム間ハンドオーバ通知」と携帯機４からの「Ｈａｎｄｏｖｅｒ  Ａｃｃｅｓｓ」により、ハンドオーバの正当性を確認する。通信システム（ＧＳＭ）１１は「Ｈａｎｄｏｖｅｒ  Ｃｏｍｐｌｅｔｅ」を携帯機４から受信すると、携帯機４と音声呼の通信を開始するとともに、データベース５に対して「携帯機情報登録」を送信して、データベース５の在圏システムを通信システム（ＵＭＴＳ）１から通信システム（ＧＳＭ）１１に、在圏位置を基地局３ｂから基地局１３ａに、通信中呼を「音声、パケット」から「音声」に更新する。
【００２２】
次に、携帯機４内部の動作フローを図６で説明する。
図６において、携帯機４は、通信システム（ＵＭＴＳ）１と音声・パケット通信中の状態（ステップ（以下、ＳＴと称する）１０１）から、制御部４３の通信制御部４３ａがアンテナ４１ａ、無線部４２ａを介して、通信システム（ＵＭＴＳ）１のネットワーク（以下ＮＷと称する）から「Ｈａｎｄｏｖｅｒ  ｆｒｏｍＵＴＲＡＮ」を受信する（ＳＴ１０２）。次に、通信制御部４３ａが、「Ｈａｎｄｏｖｅｒ  ｆｒｏｍ  ＵＴＲＡＮ」に含まれる、図３で示した優先順位情報で設定された「ハンドオーバ先の通信システム（ＧＳＭ）１１や通信システム（ＧＳＭ）１１の基地局１３ａの情報と、継続する呼の情報」とから得られた情報に基づいて、通信可能な呼及びＨＯ先の優先順位を、制御部４３のシステム間ＨＯ制御部４３ｂに通知する（ＳＴ１０３）。
【００２３】
次に、システム間ＨＯ制御部４３ｂは通信可能な呼及びＨＯする際の呼の優先順位に基づいて、継続する呼（音声）と解放する呼（パケット）を通信制御部４３ａに通知し「システム間ＨＯによりパケット呼を切断すること」を表示部４７に表示する（ＳＴ１０４）。次に、通信制御部４３ａは通知された継続又は解放する呼が設定された優先順位情報に基づいて、継続する音声呼のＨＯ準備を行ない、制御部４３を介して無線部４２ａに対して、解放するパケット呼を解放する指令を出すと共に（ＳＴ１０５）、音声呼の送受信を、無線部４２ａから無線部４２ｂに切り替え、通信制御部４３ａは通信システム（ＧＳＭ）１１のＮＷに「Ｈａｎｄｏｖｅｒ  Ａｃｃｅｓｓ」と「Ｈａｎｄｏｖｅｒ  Ｃｏｍｐｌｅｔｅ」をアンテナ４１ｂを介して送信する（ＳＴ１０６）。そして、システム間ＨＯが完了して、携帯機４はアンテナ４１ｂ及び無線部４２ｂを介して、通信システム（ＧＳＭ）１１との間で音声通信の接続を継続する（ＳＴ１０７）。
【００２４】
以上のように、図４、図５、及び図６に示す登録手順により、複数のｂｅａｒｅｒ  ｓｅｒｖｉｃｅで通信中に通信システム（ＵＭＴＳ）１から通信システム（ＧＳＭ）１１にハンドオーバする際にどのｂｅａｒｅｒ  ｓｅｒｖｉｃｅを優先的にハンドオーバさせるかを予め登録しておくことにより、ハンドオーバする際に携帯機側が希望していたｂｅａｒｅｒ  ｓｅｒｖｉｃｅを優先して継続させることが可能となるという効果がある。
このように、携帯機４が一つの無線通信方式で複数の呼を接続して通信中に全ての呼を継続することができないシステム間ハンドオーバを行う場合に、どの呼を優先的にハンドオーバさせるかを事前にデータベース５に登録する手段を備え、その登録内容に従い、携帯機側が希望する呼を優先的にハンドオーバさせることが可能な移動通信システムを提供することが可能になる。
【００２５】
実施の形態２．
実施の形態１では、ネットワーク側のデータベース５に携帯機４側が希望する優先順位を事前に登録した。本実施の形態では、ネットワーク側のデータベース５に対して、２つ目以上のｂｅａｒｅｒ  ｓｅｒｖｉｃｅの通信を確立する際に、現在、確立されているｂｅａｒｅｒ  ｓｅｒｖｉｃｅに対してハンドオーバ時にどのｂｅａｒｅｒ  ｓｅｒｖｉｃｅを優先させるかを設定して、新たな通信を確立させることでネットワーク側のデータベース５に優先順位を登録することを説明する。
本実施の形態では、図７にてパケット通信中に音声通信を行う場合のシーケンスを例に説明する。
【００２６】
図７を用いて、実施の形態２の動作を説明する。
パケット通信中に音声通信を開始する場合、携帯機４は、Ｃｏｎｎｅｃｔｉｏｎ  Ｍａｎａｇｅｍｅｎｔ（ＣＭと称する）  Ｓｅｒｖｉｃｅ  Ｒｅｑｕｅｓｔを送信して、新たなＣＭを要求する。通信システム（ＵＭＴＳ）１は携帯機４との間で、Ａｕｔｈｅｎｔｉｃａｔｉｏｎ  ＲｅｑｕｅｓｔからＳｅｃｕｒｉｔｙＭｏｄｅ  Ｃｏｍｐｌｅｔｅまでのメッセージのやり取りで認証、安全性の確認を行う。次に携帯機４は音声通信のためのＳｅｔｕｐメッセージを送信する。
このＳｅｔｕｐメッセージにはＦａｃｉｌｉｔｙ情報要素が設定可能である。このＦａｃｉｌｉｔｙ情報要素は「実施の形態１」で示したＲｅｇｉｓｔｅｒメッセージに含まれるＦａｃｉｌｉｔｙ情報要素と同じである。通信システム（ＵＭＴＳ）１は、携帯機４からのＳｅｔｕｐメッセージ受信により、データベース５に対してＲｅｇｉｓｔｅｒ（優先順位登録）メッセージを送信する。データベース５は優先順位の登録が完了すると通信システム（ＵＭＴＳ）１に対してＲｅｇｉｓｔｅｒ  Ｃｏｍｐｌｅｔｅメッセージを送信する。通信システム（ＵＭＴＳ）１は、ＣｏｎｎｅｃｔメッセージのＦａｃｉｌｉｔｙ情報要素に優先順位登録の完了を設定して携帯機４に通知する。
【００２７】
通信システム（ＵＭＴＳ）１から通信システム（ＧＳＭ）１１へのハンドオーバする際の手順は、発明の実施の形態１に示したのと同様である。２つ目以上のｂｅａｒｅｒ  ｓｅｒｖｉｃｅを確立する際のｂｅａｒｅｒ  ｓｅｒｖｉｃｅ毎の優先順位の設定は、事前に携帯機４に設定しておき、その設定にもとづいてもいいし、２つ目以上のｂｅａｒｅｒ  ｓｅｒｖｉｃｅを確立する際にユーザに設定を促してもよい。後者の場合は携帯機側が通信を開始する際に、その時に希望する優先順位で登録することができると言うメリットがある。
【００２８】
以上により、ハンドオーバする際に携帯機４側の希望するｂｅａｒｅｒ  ｓｅｒｖｉｃｅを優先して継続させることが可能となると言う効果がある。
このように、携帯機４が複数の呼を同時に通信可能な無線通信方式で通信中に、異なる呼の接続を行なう際に、他の無線通信方式のシステムにハンドオーバする際に通信中のどの呼を優先的にハンドオーバさせるかをデータベース５に登録する手段を備え、ハンドオーバの際にその登録内容に従い携帯機側が希望する呼を優先的にハンドオーバさせることができる移動通信システムを提供することができる。
【００２９】
実施の形態３．
発明の実施の形態１では、ネットワーク側のデータベース５に携帯機４側が希望する優先順位を設定した。
図８を用いて、実施の形態３の動作を説明する。
携帯機４がハンドオーバする際に音声呼及びパケット呼の複数のｂｅａｒｅｒｓｅｒｖｉｃｅを接続して通信中で、通信中の通信システム（ＵＭＴＳ）１内でのハンドオーバが不可能で通信システム（ＧＳＭ）１１にハンドオーバする必要性を検出した際に、通信システム（ＵＭＴＳ）１は携帯機４にＨａｎｄｏｖｅｒ  ｆｒｏｍ  ＵＴＲＡＮを送信する。Ｈａｎｄｏｖｅｒ  ｆｒｏｍ  ＵＴＲＡＮを受信した携帯機４は、システム間ＨＯの必要性を検出し、携帯機４のユーザに継続したい呼を選択させるために、警告音を発信する等でユーザに注意を促し、表示部４７の表示画面に現在通信中のｂｅａｒｅｒ  ｓｅｒｖｉｃｅを「パケット」又は「音声」等の文字で表示する。携帯機４のユーザがどのｂｅａｒｅｒｓｅｒｖｉｃｅを継続させるかを選択する。携帯機４のユーザが「音声」を継続することを選択すると、携帯機４はＨａｎｄｏｖｅｒ  Ｃｏｍｐｌｅｔｅメッセージに継続する呼が音声であることを設定して、通信システム（ＵＭＴＳ）１に送信する。通信システム（ＵＭＴＳ）１はＨａｎｄｏｖｅｒ  Ｃｏｍｐｌｅｔｅメッセージを受信すると「システム間ＨＯ通知」に携帯機４が音声呼のハンドオーバを希望していることを設定して、ハンドオーバ先の通信システム（ＧＳＭ）１１に送付し、パケット呼及び音声呼をローカルに解放する。
【００３０】
携帯機４は通信システム（ＵＭＴＳ）１に対してＨａｎｄｏｖｅｒ  Ｃｏｍｐｌｅｔｅを送信し、通信システム（ＵＭＴＳ）１との間で確立していたパケット呼をローカルに解放し、ハンドオーバ先の通信システム（ＧＳＭ）１１にＨａｎｄｏｖｅｒ  Ａｃｃｅｓｓを送信する。Ｈａｎｄｏｖｅｒ  Ａｃｃｅｓｓを受信した通信システム（ＧＳＭ）１１は先に受信している通信システム（ＵＭＴＳ）１からの「システム間ＨＯ通知」の内容から正当性を確認する。通信システム（ＧＳＭ）１１が、携帯機４からＨａｎｄｏｖｅｒ  Ｃｏｍｐｌｅｔｅメッセージを受信すると、携帯機４はシステム間ハンドオーバを完了し、携帯機４側が継続希望している音声呼を通信中とする。図８には示さないが、通信システム（ＧＳＭ）１１から、データベース５に携帯機情報登録を通知する処理は、図５と同様に行われる。
【００３１】
次に、携帯機４内部の動作フローを図９で説明する。
携帯機４は、通信システム（ＵＭＴＳ）１と音声・パケット通信中の状態（ＳＴ２０１）から、制御部４３の通信制御部４３ａがアンテナ４１ａ、無線部４２ａを介して、通信システム（ＵＭＴＳ）１のネットワーク（以下ＮＷと称する）から「Ｈａｎｄｏｖｅｒ  ｆｒｏｍ  ＵＴＲＡＮ」を受信する（ＳＴ２０２）。
次に、通信制御部４３ａが、「Ｈａｎｄｏｖｅｒ  ｆｒｏｍ  ＵＴＲＡＮ」に含まれるハンドオーバ先の通信システム（ＧＳＭ）１１やこの通信システム（ＧＳＭ）１１の基地局１３ａの情報と、継続する呼の情報とから得られた情報に基づいて、通信継続中の音声及びパケット全ての呼をハンドオーバすることができないことを、制御部４３のシステム間ＨＯ制御部４３ｂに通知する（ＳＴ２０３）。
【００３２】
次に、システム間ＨＯ制御部４３ｂは通信継続中の音声及びパケット全ての呼をハンドオーバすることができないことの通知を受けた後に、制御部４３を経由して「音声又はパケットのうち、どちらの呼を継続するのか」という表示を表示部４７に行なわせ、この間に操作部４６を用いて継続希望する「音声」が選択され、制御部４３からシステム間ＨＯ制御部４３ｂに継続する呼である「音声」及び解放する呼「パケット」の情報が通知される（ＳＴ２０４）。システム間ＨＯ制御部４３ｂは継続する呼である「音声」及び解放する呼「パケット」の情報を、通信制御部４３ａに通知する（ＳＴ２０５）。次に、通信制御部４３ａは通信システム（ＵＭＴＳ）１のＮＷにＨａｎｄｏｖｅｒ  Ｃｏｍｐｌｅｔｅを送信し（ＳＴ２０６）、「パケット」呼を解放する（ＳＴ２０７）。次に、通信制御部４３ａは制御部４３を介して無線部４２ａから無線部４２ｂに切り替え、制御部４３、無線部４２ｂ、アンテナ４１ｂを介して、通信システム（ＧＳＭ）１１のＮＷに「Ｈａｎｄｏｖｅｒ  Ａｃｃｅｓｓ」と「Ｈａｎｄｏｖｅｒ  Ｃｏｍｐｌｅｔｅ」を送信する（ＳＴ２０８）。そして、システム間ＨＯが完了して、携帯機４はアンテナ４１ｂ及び無線部４２ｂを介して、通信システム（ＧＳＭ）１１に、ユーザ操作により優先順位情報に基づいて決定された音声呼の通信接続を継続する（ＳＴ２０９）。
【００３３】
実施の形態１、および、実施の形態２では携帯機４側があらかじめ設定した希望に従って希望する呼のハンドオーバを行うことになり、通信中、まさにハンドオーバする時点でユーザが希望している呼を継続するとは限らなかった。本実施の形態では、通信システム（ＵＭＴＳ）１から通信システム（ＧＳＭ）１１に携帯機４がハンドオーバする際に、携帯機４のユーザが継続したいｂｅａｒｅｒ  ｓｅｒｖｉｃｅを選択、通知して、ハンドオーバを実施することにより通信中の段階で、携帯機４側の希望するｂｅａｒｅｒ  ｓｅｒｖｉｃｅを優先して継続させることが可能となるという効果がある。
このように、携帯機４が１つの無線通信方式で複数の呼を接続して通信中に他の無線通信方式のシステムにハンドオーバする際に、通信中の全ての呼を継続することができない場合に、携帯機４はユーザに対して現在通信中の呼のうちどの呼を優先して接続するかを問い合わせ、ユーザの指定内容をハンドオーバする際に現在接続中の無線通信システムに通知することにより、ハンドオーバで携帯機４側の希望する呼を優先的にハンドオーバさせることができる移動通信システムを提供することができる。
【００３４】
実施の形態４．
発明の実施の形態１では、ネットワーク側のデータベース５にユーザが希望する優先順位を設定した。
図１０、図１１にて本実施の形態を示す。携帯機４に通信システム（ＵＭＴＳ）１から通信システム（ＧＳＭ）１１にシステム間ハンドオーバする際に、ユーザが継続を希望するｂｅａｒｅｒ  ｓｅｒｖｉｃｅの優先順位を携帯機４側で事前に設定しておく例について説明する。
図１０では、通信システム（ＵＭＴＳ）１で音声およびパケットで通信中に、パケット通信呼を残し音声呼を解放して、システム間ハンドオーバする際の例を示す。すなわち、音声の通信に比べ、パケットの通信が優先順位として高く設定されている場合を説明する。
【００３５】
携帯機４にはユーザが継続を希望するｂｅａｒｅｒ  ｓｅｒｖｉｃｅの優先順位を事前に設定しておく記憶領域として、例えば、図２で示したＲＡＭ４５に含まれるシステム間ＨＯ設定部４５ａを設ける。携帯機４のユーザは事前に、表示部４７にｂｅａｒｅｒ  ｓｅｒｖｉｃｅの優先順位に関する設定情報を表示させて、操作部４６の操作によりユーザが接続希望する優先順位を例えば、「第１優先：パケット、第２優先：音声」のように入力する。そして、携帯機４は予めシステム間ＨＯ設定部４５ａに記憶された優先順位の情報に基づいて、ハンドオーバする際に選択する呼の種類を決定する。これら優先順位情報の設定登録操作は、制御部４３によって制御されて実行される。
【００３６】
次に、図１０、１１を用いて、実施の形態４の動作を説明する。
携帯機４と音声及パケット通信中の通信システム（ＵＭＴＳ）１が、通信中の通信システム（ＵＭＴＳ）１内でのハンドオーバが不可能で、通信システム（ＧＳＭ）１１にハンドオーバする必要性を検出した際に、携帯機４に対して、Ｈａｎｄｏｖｅｒ  ｆｒｏｍ  ＵＴＲＡＮを携帯機４に送信する。次に、Ｈａｎｄｏｖｅｒ  ｆｒｏｍ  ＵＴＲＡＮを受信した携帯機４は指定されたハンドオーバ先の通信システム（ＧＳＭ）１１で通信可能なｂｅａｒｅｒと同時に通信できる呼の数、および、事前にユーザによってシステム間ＨＯ設定部４５ａに設定されたシステム間ハンドオーバの際に、ユーザが継続希望する呼の優先順位情報から優先順位の低い呼である音声呼を確認する。次に、携帯機４は通信システム（ＵＭＴＳ）１との間に確立されている音声呼の解放処理を行う（ＤＩＳＣ〜ＲＥＬＥＡＳＥ  ＣＯＭＰＬＥＴＥ）。携帯機４は、その後、携帯機４のユーザに対してシステム間ハンドオーバにより音声呼を切断したことをスピーカー４８から音声を出力してあるいは、画面を表示部４７に表示して知らせ、通信システム（ＵＭＴＳ）１に対してＨａｎｄｏｖｅｒ  Ｃｏｍｐｌｅｔｅを送信する。
【００３７】
次に、Ｈａｎｄｏｖｅｒ  Ｃｏｍｐｌｅｔｅを受信した通信システム（ＵＭＴＳ）１は、現在、通信中の呼がパケットだけであることを確認し、ハンドオーバ先の通信システム（ＧＳＭ）１１に対してシステム間ＨＯ通知を送信し、パケット呼を解放する。次に、携帯機４は通信システム（ＵＭＴＳ）１とパケット通信中の状態で、ユーザに音声呼を切断したことを通知した後、ハンドオーバ先の通信システム（ＧＳＭ）１１に対してパケット呼のハンドオーバを行うために、Ｈａｎｄｏｖｅｒ  Ａｃｃｅｓｓを送信する。通信システム（ＧＳＭ）１１は、システム間ハンドオーバ通知とＨａｎｄｏｖｅｒ  Ａｃｃｅｓｓより正当性を確認する。さらに携帯機４は、Ｈａｎｄｏｖｅｒ  Ｃｏｍｐｌｅｔｅを送信し、これによりシステム間ハンドオーバが完了し、ハンドオーバ先の通信システム（ＧＳＭ）１１との間で、パケット通信が継続される。図１０には示さないが、通信システム（ＧＳＭ）１１から、データベース５に携帯機情報登録を通知する処理は、図５と同様に行われる。
【００３８】
次に、携帯機４内部の動作フローを図１１で説明する。
携帯機４は、通信システム（ＵＭＴＳ）１と音声・パケット通信中の状態（ＳＴ３０１）から、制御部４３の通信制御部４３ａがアンテナ４１ａ、無線部４２ａを介して、通信システム（ＵＭＴＳ）１のネットワーク（以下ＮＷと称する）から「Ｈａｎｄｏｖｅｒ  ｆｒｏｍ  ＵＴＲＡＮ」を受信する（ＳＴ３０２）。
次に、通信制御部４３ａが、「Ｈａｎｄｏｖｅｒ  ｆｒｏｍ  ＵＴＲＡＮ」に含まれるハンドオーバ先の通信システム（ＧＳＭ）１１や通信システム（ＧＳＭ）１１の基地局１３ａの情報と、継続する呼の情報とから得られた情報に基づいて、通信継続中の音声及びパケット全ての呼をハンドオーバすることができないことを、制御部４３のシステム間ＨＯ制御部４３ｂに通知する（ＳＴ３０３）。
【００３９】
次に、システム間ＨＯ制御部４３ｂは、システム間ＨＯ設定部４５ａで事前に記憶されてた優先順位の情報から抽出される継続する呼である「パケット」及び解放する呼「音声」の情報を通信制御部４３ａに通知する（ＳＴ３０４）。次に、通信制御部４３ａは通信システム（ＵＭＴＳ）１のＮＷとの間で音声呼の接続を切断して、システム間ハンドオーバにより音声呼を切断したことを表示部４７の表示画面に表示して知らせる（ＳＴ３０５）。次に、通信制御部４３ａは制御部４３、無線部４２ａを介して、通信システム（ＵＭＴＳ）１に、Ｈａｎｄｏｖｅｒ  Ｃｏｍｐｌｅｔｅを送信する（ＳＴ３０６）。次に、通信制御部４３ａは制御部４３を介して無線部４２ａから無線部４２ｂに切り替え、アンテナ４１ｂ、無線部４２ｂを介して、通信システム（ＧＳＭ）１１のＮＷに「Ｈａｎｄｏｖｅｒ  Ａｃｃｅｓｓ」と「Ｈａｎｄｏｖｅｒ  Ｃｏｍｐｌｅｔｅ」を送信する（ＳＴ３０７）。そして、システム間ＨＯが完了して、携帯機４はアンテナ４１ｂ及び無線部４２ｂを介して、通信システム（ＧＳＭ）１１との間でパケット通信の接続を継続する（ＳＴ３０８）。
【００４０】
複数のｂｅａｒｅｒ  ｓｅｒｖｉｃｅで通信中に通信システム（ＵＭＴＳ）１内でのハンドオーバ先がみつからず、通信システム（ＵＭＴＳ）１から通信システム（ＧＳＭ）１１にハンドオーバの必要性を携帯機４が検出した際に、通信システム（ＧＳＭ）１１にハンドオーバする前に、ユーザが設定した優先順位に従い、最も優先順位の高いｂｅａｒｅｒ  ｓｅｒｖｉｃｅを残すように他のｂｅａｒｅｒ  ｓｅｒｖｉｃｅの通信を切断し、１つのｂｅａｒｅｒ  ｓｅｒｖｉｃｅしか通信中でない状態にすることで、ユーザが希望するｂｅａｒｅｒ  ｓｅｒｖｉｃｅをハンドオーバさせることが可能となると言う効果がある。
このように、携帯機４が１つの無線通信方式で複数の呼を接続して通信中に他の無線通信方式のシステムにハンドオーバする際に、全ての通信中の呼を継続することができない場合に、どの呼を優先的に継続するかを事前にユーザが設定可能な機能を携帯機４に有し、異なる無線通信システムへのハンドオーバする際に、この設定に従い、優先順位の低い呼を切断し、ユーザが指定した呼だけを通信中としてからハンドオーバすることによりユーザの希望する呼を優先的にハンドオーバさせることができる移動通信システムを提供することができる。
【００４１】
実施の形態５．
発明の実施の形態４では、携帯機４に事前にユーザが優先順位を設定した。本実施の形態では、システム間ハンドオーバする際に、ユーザが継続する呼を選択する例を示す。以下の説明では、音声、及び、パケットで通信中にハンドオーバの必要性が生じ、ユーザが音声の通信を継続することを選択する例を説明する。
【００４２】
図１２、図１３を用いて、実施の形態５の動作を説明する。
通信システム（ＵＭＴＳ）１で音声、および、パケットで通信中に通信システム（ＵＭＴＳ）１内でのハンドオーバ先がみつからず、通信システム（ＵＭＴＳ）１から通信システム（ＧＳＭ）１１にハンドオーバの必要性を通信システム（ＵＭＴＳ）１が検出した際、Ｈａｎｄｏｖｅｒ  ｆｒｏｍ  ＵＴＲＡＮを携帯機４に通知する。携帯機４は、指定されたハンドオーバ先の通信システム（ＧＳＭ）１１で通信可能なｂｅａｒｅｒと同時に通信できる呼の数を確認し、通信システム（ＧＳＭ）１１にハンドオーバする前に、警告音を発信する等でユーザに注意を促し、画面に現在通信中のｂｅａｒｅｒ  ｓｅｒｖｉｃｅを表示し、ユーザにどのｂｅａｒｅｒ  ｓｅｒｖｉｃｅを継続させるかを選択させる。携帯機４の表示部４７は、音声呼とパケット呼が通信中の呼であることを示す画面を表示する。
【００４３】
携帯機４のユーザは、表示部４７に表示された画面に従い、操作部４６を操作することによって、継続させる呼を選択する。携帯機４は、操作部４６によって、選択された呼のデータを取得する。ユーザの選択により携帯機４はハンドオーバを実施する前に選択された以外のｂｅａｒｅｒ  ｓｅｒｖｉｃｅの切断処理を実施する。携帯機４は、パケット呼を解放する（Ｄｅａｃｔｉｖａｔｅ  ＰＤＰＣｏｎｔｅｘｔ  Ｒｅｑｕｅｓｔ〜Ｄｅａｃｔｉｖａｔｅ  ＰＤＰ  Ｃｏｎｔｅｘｔ  Ａｃｃｅｐｔ）。
【００４４】
携帯機４はパケット呼の切断を完了すると通信システム（ＵＭＴＳ）１に対して、Ｈａｎｄｏｖｅｒ  Ｃｏｍｐｌｅｔｅを送信する。Ｈａｎｄｏｖｅｒ  Ｃｏｍｐｌｅｔｅを受信した通信システム（ＵＭＴＳ）１は、現在通信中の呼が音声呼だけであることを確認し、通信システム（ＧＳＭ）１１に対してシステム間ハンドオーバ通知を送信し、音声呼を解放する。また、携帯機４はハンドオーバ先の通信システム（ＧＳＭ）１１に対して、Ｈａｎｄｏｖｅｒ  Ａｃｃｅｓｓを送信する。通信システム（ＧＳＭ）１１は通信システム（ＵＭＴＳ）１からのシステム間ハンドオーバ通知と携帯機４からのＨａｎｄｏｖｅｒ  Ａｃｃｅｓｓより正当性を確認する。携帯機４はＨａｎｄｏｖｅｒ  Ｃｏｍｐｌｅｔｅを送信することでシステム間ハンドオーバを完了し、音声通信中に遷移する。図１２には示さないが、通信システム（ＧＳＭ）１１から、データベース５に携帯機情報登録を通知する処理は、図５と同様に行われる。
【００４５】
次に、携帯機４内部の動作フローを図１３で説明する。
携帯機４は、通信システム（ＵＭＴＳ）１と音声・パケット通信中の状態（ＳＴ４０１）から、制御部４３の通信制御部４３ａがアンテナ４１ａ、無線部４２ａを介して、通信システム（ＵＭＴＳ）１のネットワーク（以下ＮＷと称する）から「Ｈａｎｄｏｖｅｒ  ｆｒｏｍ  ＵＴＲＡＮ」を受信する（ＳＴ４０２）。次に、通信制御部４３ａが、システム間ＨＯの必要性を検出して、その旨を制御部４３のシステム間ＨＯ制御部４３ｂに通知する（ＳＴ４０３）。これを受けたシステム間ＨＯ制御部４３ｂは、制御部４３を介して、「音声又はパケットのうち、どちらの呼を継続するのか」という表示を表示部４７に行なわせる。そして、携帯機４のユーザが操作部４６、制御部４３を介して、継続する呼として音声呼、解放する呼としてパケット呼を入力すると、制御部４３はこれらの情報を通信制御部４３ａに通知する（ＳＴ４０４）。
【００４６】
次に、通信制御部４３ａは通信システム（ＵＭＴＳ）１のＮＷの間でＤｅａｃｔｉｖａｔｅ  ＰＤＰ  Ｃｏｎｔｅｘｔ  Ｒｅｑｕｅｓｔをアンテナ４１ａ、無線部４２ａを介して、通信システム（ＵＭＴＳ）１に送信し、通信システム（ＧＳＭ）１１からＤｅａｃｔｉｖａｔｅ  ＰＤＰ  Ｃｏｎｔｅｘｔ  Ａｃｃｅｐｔを受信しパケット呼接続のみを切断する（ＳＴ４０５）。次に通信制御部４３ａは通信システム（ＵＭＴＳ）１にＨａｎｄｏｖｅｒ  Ｃｏｍｐｌｅｔｅを送信する（ＳＴ４０６）。次に、通信制御部４３ａは制御部４３を介して無線部４２ａから無線部４２ｂに切り替え、制御部４３、無線部４２ｂ、アンテナ４１ｂを介して、通信システム（ＧＳＭ）１１のＮＷに「Ｈａｎｄｏｖｅｒ  Ａｃｃｅｓｓ」と「Ｈａｎｄｏｖｅｒ  Ｃｏｍｐｌｅｔｅ」を送信する（ＳＴ４０７）。そして、システム間ＨＯが完了して、携帯機４はアンテナ４１ｂ及び無線部４２ｂを介して、通信システム（ＧＳＭ）１１に、優先順位情報に基づいて決定された音声呼の通信接続を継続する（ＳＴ４０８）。
【００４７】
以上のように、ユーザがハンドオーバする時点で優先的に継続したい呼を選択できるという効果がある。
このように、携帯機４が１つの無線通信方式で複数の呼を接続して通信中に他の無線通信方式のシステムにハンドオーバする際に、全ての通信中の呼を継続することができない場合に、携帯機４はユーザに対して現在通信中の呼のうちどの呼を優先して接続するかを問い合わせ、ユーザの指定内容に従いハンドオーバする前に指定されなかった呼を切断し、ユーザが指定した呼だけを通信中としてからハンドオーバすることによりユーザの希望する呼を優先的にハンドオーバさせることができる移動通信システムを提供することができる。
【００４８】
実施の形態６．
実施の形態１から実施の形態５では、複数のＢｅａｒｅｒで同時に通信可能であるシステムから１つのＢｅａｒｅｒでしか同時に通信できないシステムへのシステム間ハンドオーバを例に説明したが、同時に通信可能なＢｅａｒｅｒ数が、通信システム（ＵＭＴＳ）１＞通信システム（ＧＳＭ）１１＞１のような場合に、上記実施の形態の手順にしたがって、通信システム（ＧＳＭ）１１で同時に通信可能な複数のＢｅａｒｅｒを通信システム（ＵＭＴＳ）１から優先順位に従ってシステム間ハンドオーバさせることも可能である。
すなわち、通信中の通信システムが接続可能な呼の数が、ハンドオーバ先の通信システムが接続可能な呼の数よりも多い場合（同じ数の場合は含まない）、上記実施の形態１から実施の形態５の手順を適用することができる。
【００４９】
実施の形態７．
本実施の形態では、通信中の呼に緊急呼が含まれている場合を示す。図３に示すように携帯機の番号が「０９０−ｆｆ−ｇｇ」が、在圏システムが「通信システム（ＵＭＴＳ）１」、在圏位置が「基地局３ｂ」、可能無線通信方式が「通信システム（ＵＭＴＳ）１、通信システム１１」で、通信中呼が「緊急呼、パケット」、システム間ＨＯ優先順位が「パケット、音声の順」の状態でシステム間ＨＯを行う場合、実施の形態１、及び、２では、データベース５は、「携帯機情報問い合わせ」に対して緊急呼の継続を最優先する設定を含む応答「携帯機情報応答」を送信する。以降の処理では緊急呼を継続するハンドオーバ処理となる。実施の形態３から５では、携帯機は、システム間ＨＯの必要性を検出すると自身が緊急呼通話をしているかを認識し、ユーザにより携帯機に事前に設定されている内容とは関係なく、また、ユーザにどの呼を継続させるかの選択を促すことなく、緊急呼を優先的にハンドオーバさせる処理を行う。実施の形態６のようにハンドオーバ先の通信システムでの呼を複数継続させることが可能な場合は、緊急呼は優先してハンドオーバさせ、残りの呼に関しては実施の形態１から５のようにハンドオーバさせることを可能とする。
【００５０】
以上により最も優先順位の高い緊急呼を最優先してハンドオーバさせることが可能となるという効果がある。
【００５１】
実施の形態８．
実施の形態１から７では異なる通信システム間での通信中のハンドオーバ方式に関して示したが、同一システム内におけるハンドオーバの際にハンドオーバ先にて、無線リソースの問題等で、全ての通信中の呼をハンドオーバさせることができない場合、実施の形態１から７に示した形態により、同様に携帯機側にとって最も優先順位の高い呼を優先的にハンドオーバさせることが可能となるという効果がある。
【００５２】
【発明の効果】
以上のようにこの発明によれば、複数の異なる無線通信方式にて通信可能で、同時に複数の呼を接続可能な携帯機が、ある無線通信方式を用いる無線通信システムで複数の呼で通信中に、異なる無線通信方式を用いた無線通信システムにハンドオーバする際に、無線通信システム間にて通信を継続される呼を決められるのではなく、携帯機側が最も継続を望んでいる呼を優先的に継続させることを可能にするという効果がある。
【図面の簡単な説明】
【図１】この発明の実施の形態１から実施の形態８におけるネットワーク構成図である。
【図２】この発明の実施の形態１から実施の形態８におけるネットワークで通信可能な携帯機のブロック図である。
【図３】この発明の実施の形態１から実施の形態８におけるネットワークが管理する携帯機に関するデータベースの構成図である。
【図４】この発明の実施の形態１におけるユーザが望むハンドオーバ時に継続する呼の優先順位を携帯機からデータベースへ登録するシーケンス図である。
【図５】この発明の実施の形態１における携帯機がシステム間ハンドオーバを行う際のシーケンス図である。
【図６】この発明の実施の形態１における携帯機の動作フロー図である。
【図７】この発明の実施の形態２におけるユーザが望むハンドオーバ時に継続する呼の優先順位を携帯機からデータベースへ登録するシーケンス図である。
【図８】この発明の実施の形態３における携帯機がシステム間ハンドオーバを行う際のシーケンス図である。
【図９】この発明の実施の形態３における携帯機の動作フロー図である。
【図１０】この発明の実施の形態４における携帯機がシステム間ハンドオーバを行う際のシーケンス図である。
【図１１】この発明の実施の形態４における携帯機の動作フロー図である。
【図１２】この発明の実施の形態５における携帯機がシステム間ハンドオーバを行う際のシーケンス図である。
【図１３】この発明の実施の形態５における携帯機の動作フロー図である。
【符号の説明】
１  通信システム（ＵＭＴＳ）、２ａ，２ｂ  交換機、３ａ，３ｂ  基地局、４  携帯機、５  データベース、１１  通信システム（ＧＳＭ）、１２ａ，１２ｂ  交換機、１３ａ，１３ｂ  基地局、４１ａ，４１ｂ  アンテナ、４２ａ，４２ｂ  無線部、４３  制御部、４３ａ  通信制御部、４３ｂ  システム間ＨＯ制御部、４４  ＲＯＭ、４５  ＲＡＭ、４５ａ  システム間ＨＯ設定部、４６  操作部、４７  表示部、４８  スピーカー、４９  マイク、５０  カメラ。
【図１】
2004363730.tif 000003
【図２】
2004363730.tif 000004
【図３】
2004363730.tif 000005
【図４】
2004363730.tif 000006
【図５】
2004363730.tif 000007
【図６】
2004363730.tif 000008
【図７】
2004363730.tif 000009
【図８】
2004363730.tif 000010
【図９】
2004363730.tif 000011
【図１０】
2004363730.tif 000012
【図１１】
2004363730.tif 000013
【図１２】
2004363730.tif 000014
【図１３】
2004363730.tif 000015